(57)【要約】【課題】  重い洗濯機でも１人乃至２人で洗濯機パン上から移動させることができるようにし、かつ移動の際に洗濯機の外面と壁面との接触を防止できる洗濯機用の引き出し台およびこの引き出し台を用いた洗濯機の引き出し方法を提供する。【解決手段】  引き出し台を台本体１、１の２台１組で構成し、台本体１、１における一方の辺部上縁に庇部２、２を設けるとともに、台本体１、１に庇部２、２の上面から台本体１、１の上面に渡り進退移動できる移動台座３、３を設ける。【選択図】  図１
2011147590.tif 000002
【特許請求の範囲】
【請求項１】
洗濯機パンの上に配置している洗濯機を移動させる際に、洗濯機を洗濯機パンの上から引き出して移動させることができる洗濯機用引き出し台であって、少なくとも洗濯機パンに有する洗濯機前列の脚を載せる前列台座の高さに対応する台本体の辺部上縁に庇部を設けており、洗濯機パンに対し台本体を所定の位置にセットすると、庇部の底面が、洗濯機パンに有する前列台座の上面に接触乃至僅少なる隙間を空けて位置してなる洗濯機用引き出し台。
【請求項２】
前記前列台座の上面に凹所が形成されている場合に、この凹所に対応し、凹所上に位置された前記庇部の底面と接触乃至僅少なる隙間を空けて同凹所内にセットできるスペーサを付属してなる請求項１に記載の洗濯機用引き出し台。
【請求項３】
前記台本体に、庇部上面から台本体上面に渡り進退移動できる移動台座を設けており、前記移動台座の上面には、少なくとも洗濯機パンの前列台座上に載る洗濯機前列の脚が載るスペースを設けてなる請求項１に記載の洗濯機用引き出し台。
【請求項４】
前記移動台座を、案内手段によって所定の進路上を進退移動できるように構成してなる請求項３に記載の洗濯機用引き出し台。
【請求項５】
前記引き出し台は２台１組で構成されていて、洗濯機パンの前列両側の台座それぞれに１台を対応させ、かつそれぞれの台本体の上面に、洗濯機の４隅に有する脚の同一側の前後列の少なくとも２脚が載るように構成してなる請求項１に記載の洗濯機用引き出し台。
【請求項６】
少なくとも洗濯機パンに有する洗濯機前列の脚を載せる前列台座の高さに対応する台本体の辺部上縁に庇部が設けられ、洗濯機パンに対し台本体を所定の位置にセットした際、庇部の底面が、洗濯機パンに有する前列台座の上面に接触乃至僅少なる隙間を空けて位置する洗濯機用引き出し台を用いた洗濯機の引き出し方法であって、洗濯機パンの台座に脚を載せた正立状態の洗濯機を、洗濯機パン後列の台座に載る洗濯機後列の脚を支点に洗濯機本体を背面側に倒して洗濯機パン前列の台座に載る洗濯機前列の脚を上方に浮かせ、次いで、洗濯機パン前列の台座上に前記台本体の庇部を進入させて上方に浮かせた洗濯機前列の脚を庇部の上面に下ろして洗濯機を正立状態に戻し、次いで、庇部の上面に載る洗濯機前列の脚を支点に洗濯機本体を前面側に倒して洗濯機パン後列の台座に載る洗濯機後列の脚を上方に浮かせるとともに、この洗濯機本体を安定する傾斜角度に調整して支持し、次いで、この状態で洗濯機本体を引いて洗濯機前列の脚を庇部上面から台本体上面の所定の位置まで滑らせて移動させ、次いで、上方に浮かせた洗濯機後列の脚を台本体上面に下ろして洗濯機を正立状態に戻してなる洗濯機の引き出し方法。
【請求項７】
前記前列台座の上面に凹所が形成されている場合に、この凹所に対応し、凹所上に位置された前記庇部の底面と接触乃至僅少なる隙間を空けて同凹所内にセットできるスペーサを付属してなる請求項６に記載の洗濯機の引き出し方法。
【請求項８】
前記台本体に、庇部上面から台本体上面に渡り進退移動できる移動台座を設けており、台座の上面には、少なくとも洗濯機パンの前列台座上に載る洗濯機前列の脚が載るスペースを設けてなる請求項６に記載の洗濯機の引き出し方法。
【請求項９】
前記移動台座を、案内手段によって所定の進路上を進退移動できるように構成してなる請求項８に記載の洗濯機の引き出し方法。
【請求項１０】
前記引き出し台は２台１組で構成されていて、洗濯機パンの前列両側の台座それぞれに１台を対応させ、かつそれぞれの台本体の上面に、洗濯機の４隅に有する脚の同一側の前後列の少なくとも２脚が載るように構成してなる請求項６に記載の洗濯機の引き出し方法。
【発明の詳細な説明】
【技術分野】
【０００１】
本発明は、洗濯機パンの上に設置している洗濯機を、同パンの前方に引出す際に使用する洗濯機用の引き出し台に関し、また、この引き出し台を用いて行う洗濯機の引き出し方法に関する。
【背景技術】
【０００２】
近年の集合住宅事情では、設備機器の設置用に充てるスペースを縮小し、その縮小分を室内空間の拡大用に充てる傾向にあって、設備機器の一つである洗濯機の設置スペースも縮小されている。
【０００３】
そして、洗濯機の設置スペースに設置されて階下への漏水を防止するための洗濯機パンも、縮小された洗濯機の設置スペースに対応するよう縮小されている。
【０００４】
これにより、洗濯機パンに備えられ、排水管内の臭気の逆流を防止するための排水トラップの配設位置も、同洗濯機パンの四隅に設けられて洗濯機の脚を載せるための台座を避けて洗濯機パンの中央付近に移っている。
【０００５】
したがって、洗濯機パン上に洗濯機を設置すると排水トラップの位置が洗濯機のほぼ中央真下になり、洗濯機パンの上から洗濯機を移動させて排水トラップの上方を空けてからでないと排水トラップの手入れや点検等のメンテナンスを行うことができなかった。
【０００６】
しかしながら、洗濯機パンの上から洗濯機を移動させるにしても、乾燥機能を備えるドラム式の洗濯機は重量が１００ｋｇになる機種もあり、そして、洗濯機の設置スペースも３方が壁に囲まれ、かつ洗濯機の外面と壁面との隙間が５ｃｍ以下の場所が多くあって、これらのことから、洗濯機の移動は少なくとも３人以上の作業者を必要とする非常に困難な作業となっていた。
【０００７】
そして、集合住宅における配水管の清掃作業は一棟まとめて実施するのが普通であり、また限られた予算の中で実施しなければならないため、作業人員や作業時間を簡単に増やすことができず、したがって、前述のような大重量の機種が設置されている場合は、洗濯機パンの排水トラップ洗浄が実施できない事例もあった。
【０００８】
また、洗濯機パンの上から洗濯機を移動させる場合、組み立て式のリフト装置を使用すれば１人での作業も可能ではあるが、被作業宅への同リフト装置の運び入れや作業場所での組み立て、かつ作業終了後の分解や運び出しの手間を考慮すると、リフト装置を使用しての洗濯機移動作業は非現実的であった。
【０００９】
また、洗濯機パン上から洗濯機を移動させることなく洗浄用ホースの引き回し等によって排水トラップを洗浄する方法もあるが、同方法では、排水トラップは細い隙間を排水が流通する構造のため、同隙間から糸くずやゴミ等の撤去状態が確認できず洗浄が十分でない可能性もあり不安が残るものであった。
【００１０】
そして、前述するように３人以上の作業者を要して洗濯機を移動させる際も、同洗濯機の外面と壁面とが接近しているために洗濯機の外面と壁面とが接触して壁面を傷付けてしまうおそれがあり、いずれにしても洗濯機パンにおける排水トラップのメンテナンス作業は非常に困難であった。
【先行技術文献】
【特許文献】
【００１１】
【特許文献１】特開２００８−３６２６８号公報（第１〜７頁、図１〜７）
【特許文献２】特開２００９−８２６５９号公報（第１〜６頁、図１〜５）
【発明の概要】
【発明が解決しようとする課題】
【００１２】
本発明は、重い洗濯機でも１人乃至２人で洗濯機パン上から移動させることができるようにし、かつ移動の際に洗濯機の外面と壁面との接触を防止できる洗濯機用の引き出し台およびこの引き出し台を用いた洗濯機の引き出し方法を提供できるようにすることにある。
【課題を解決するための手段】
【００１３】
上述した課題を解決するために、本発明に係る洗濯機用の引き出し台は、洗濯機パンの上に配置している洗濯機を移動させる際に、洗濯機を洗濯機パンの上から引き出して移動させることができる洗濯機用引き出し台であって、少なくとも洗濯機パンに有する洗濯機前列の脚を載せる前列台座の高さに対応する台本体の辺部上縁に庇部を設けており、洗濯機パンに対し台本体を所定の位置にセットすると、庇部の底面が、洗濯機パンに有する前列台座の上面に接触乃至僅少なる隙間を空けて位置するものとしてある。
【００１４】
また、前記前列台座の上面に凹所が形成されている場合に、この凹所に対応し、凹所上に位置された前記庇部の底面と接触乃至僅少なる隙間を空けて同凹所内にセットできるスペーサを付属したものとしてある。
【００１５】
また、前記台本体に、庇部上面から台本体上面に渡り進退移動できる移動台座を設けており、前記移動台座の上面には、少なくとも洗濯機パンの前列台座上に載る洗濯機前列の脚が載るスペースを設けたものとしてある。
【００１６】
また、前記移動台座を、案内手段によって所定の進路上を進退移動できるように構成したものとしてある。
【００１７】
また、前記引き出し台は２台１組で構成されていて、洗濯機パンの前列両側の台座それぞれに１台を対応させ、かつそれぞれの台本体の上面に、洗濯機の４隅に有する脚の同一側の前後列の少なくとも２脚が載るように構成したものとしてある。
【００１８】
さらに、本発明に係る洗濯機用の引き出し台を用いた洗濯機の引き出し方法は、少なくとも洗濯機パンに有する洗濯機前列の脚を載せる前列台座の高さに対応する台本体の辺部上縁に庇部が設けられ、洗濯機パンに対し台本体を所定の位置にセットした際、庇部の底面が、洗濯機パンに有する前列台座の上面に接触乃至僅少なる隙間を空けて位置する洗濯機用引き出し台を用いた洗濯機の引き出し方法であって、洗濯機パンの台座に脚を載せた正立状態の洗濯機を、洗濯機パン後列の台座に載る洗濯機後列の脚を支点に洗濯機本体を背面側に倒して洗濯機パン前列の台座に載る洗濯機前列の脚を上方に浮かせ、次いで、洗濯機パン前列の台座上に前記台本体の庇部を進入させて上方に浮かせた洗濯機前列の脚を庇部の上面に下ろして洗濯機を正立状態に戻し、次いで、庇部の上面に載る洗濯機前列の脚を支点に洗濯機本体を前面側に倒して洗濯機パン後列の台座に載る洗濯機後列の脚を上方に浮かせるとともに、この洗濯機本体を安定する傾斜角度に調整して支持し、次いで、この状態で洗濯機本体を引いて洗濯機前列の脚を庇部上面から台本体上面の所定の位置まで滑らせて移動させ、次いで、上方に浮かせた洗濯機後列の脚を台本体上面に下ろして洗濯機を正立状態に戻すものとしてある。
【００１９】
また、前記前列台座の上面に凹所が形成されている場合に、この凹所に対応し、凹所上に位置された前記庇部の底面と接触乃至僅少なる隙間を空けて同凹所内にセットできるスペーサを付属したものとしてある。
【００２０】
また、前記台本体に、庇部上面から台本体上面に渡り進退移動できる移動台座を設けており、前記移動台座の上面には、少なくとも洗濯機パンの前列台座上に載る洗濯機前列の脚が載るスペースを設けたものとしてある。
【００２１】
また、前記移動台座を、案内手段によって所定の進路上を進退移動できるように構成したものとしてある。
【００２２】
また、前記引き出し台は２台１組で構成されていて、洗濯機パンの前列両側の台座それぞれに１台を対応させ、かつそれぞれの台本体の上面に、洗濯機の４隅に有する脚の同一側の前後列の少なくとも２脚が載るように構成したものとしてある。
【発明の効果】
【００２３】
本発明に係る洗濯機用の引き出し台によれば、重い洗濯機でも１人乃至２人で洗濯機パンの上から短時間で引き出し移動できるので、この後に行う洗濯機パンの排水トラップメンテナンス作業の作業時間を充分に取ることができる。
【００２４】
また、洗濯機の引き出しは、洗濯機前列の脚を引き出し台の上を進退移動する台座に載せ、同前列の脚を支点に洗濯機を引き出し方向安定角度に傾けた状態にして、台座を引き出し台の上を滑らせて案内するので、重い洗濯機も容易にかつ方向等も安定させて引き出すことができ、洗濯機の外面と洗濯機の設置場所における壁面との接触による損傷を防止することができる。
【００２５】
さらに、引き出し台はコンパクトに形成することができ、またアルミニウム材等の軽量材料で形成することによって重量も軽くできるため、引き出し台の作業宅への運び入れや運び出しも容易にできて、メンテナンス作業を行う作業者の負担を低減できる。
【００２６】
そして、引き出し台たる台本体を２台１組で構成しているものは、引き出し台を保管しておく際も縦置き保管ができるため、保管に必要なスペースも小なるスペースですむ。
【図面の簡単な説明】
【００２７】
【図１】本発明に係る洗濯機用の引き出し台の一例を示す斜視図。
【図２】引き出し台の拡大図。
【図３】引き出し台に付属するスペーサを示す拡大斜視図。
【図４】スペーサを洗濯機パンの台座内にセットした状態を示した図。
【図５】引き出し台を用いた洗濯機の引き出し過程を示す図。
【図６】スペーサを洗濯機パンの台座内にセットした状態の断面図。
【図７】引き出し台を洗濯機パンにセットした状態の斜視図。
【発明を実施するための形態】
【００２８】
本発明に係る洗濯機用の引き出し台およびこの引き出し台を用いた洗濯機の引き出し方法を、以下、添付図面に基づいて説明する。
また、実施例に示すものは、引き出し台たる台本体を２台１組で構成しているものを示している。
【実施例】
【００２９】
引き出し台は、図１、図２に示すように、台本体１、１の２台１組で構成していて、台本体１、１における一方の辺部上縁に庇部２、２を設けている。
【００３０】
また、台本体１、１の上面には、この台本体１、１の幅方向側面側に回り込むガイド部３ａ、３ａを設けた移動台座３、３を設けている。
【００３１】
さらに、図３に示すように、引き出し台にはスペーサ４を設けていて、スペーサ４は、図４に示すように、洗濯機パン５における前列台座６、６の上面に形成される洗濯機の脚の脱落防止用の凹所６ａ、６ａ内にセットするものである。
【００３２】
以下、上述のように構成した本発明の引き出し台を用いた洗濯機の引き出し方法を図５により説明する。
説明に用いる図５は、洗濯機８を側方から見ている状態を示しているため、図１に示した２台１組で構成している引き出し台たる台本体は１台しか見えないので、以下説明の中で表記する各符号は一台分の表示とする。
【００３３】
まず、引き出し台たる台本体１のセットは、図５（ａ）に示すように、洗濯機パン５の各台座に脚を載せた正立状態の洗濯機８を、洗濯機パン５の後列台座７に載る洗濯機８の後列脚８ｂを支点に洗濯機８本体を背面側に倒して、洗濯機パン５の前列台座６に載る洗濯機８の前列脚８ａを上方に浮かせ、スペーサ４を前列台座６の凹所６ａ内にセットする（スペーサ４のセット状態は図６を参照）。
【００３４】
次いで、図５（ｂ）に示すように、台本体１の庇部２を洗濯機パン５の前列台座６上に進入させセットして（台本体１、１のセット状態は図７を参照）、上方に浮かせた洗濯機８の前列脚８ａを、同前列脚８ａの下方にセットした移動台座３の上面に下ろして洗濯機８を正立状態に戻す。
【００３５】
そして、図５（ｃ）に示すように、庇部２の上面に載る洗濯機８の前列脚８ａを支点に洗濯機８本体を前面側に倒し、洗濯機パン５の後列台座７に載る洗濯機８の後列脚８ｂを上方に浮かせるとともに、この洗濯機８本体を安定する傾斜角度に調整して支持する。
【００３６】
次いで、図５（ｄ）に示すように、この前傾姿勢のまま洗濯機８本体を洗濯機８の前面側（矢印方向）に引いて引き台本体１上の移動台座３を所定の位置まで滑らせて移動させる。
【００３７】
そして、図５（ｅ）に示すように、洗濯機８本体を所定の位置まで移動させた後、上方に浮かせた洗濯機８の後列脚８ｂを台本体１の上面に下ろして洗濯機８を正立状態に戻す。
以上の動作により、洗濯機パン５の上に載る洗濯機８を、洗濯機パン５の前方の引き台本体１上に引き出すことができる。
【００３８】
そして、洗濯機パン５の排水トラップメンテナンス作業が終了し、台本体１上の洗濯機８を元に戻す場合は、前述の洗濯機８を引き出す動作と反対の動作をすることにより洗濯機８を元に戻すことができる。
【００３９】
また、実施例中の台本体１、１には示していないが、同本体１、１の庇部２、２下面を洗濯機パン５における前列台座６の上面に合わせるための調整用ジャッキ手段を設ける場合がある。
【００４０】
また、実施例中の台本体１に設けている移動台座３は、移動台座３を台本体１に跨がせて移動方向を案内しているが、台本体１の上面に溝を形成して、この溝中に移動台座３を移動させる場合もある。
【符号の説明】
【００４１】
１  台本体
２  庇部
３  移動台座
３ａ  ガイド
４  スペーサ
５  洗濯機パン
６  前列台座
６ａ  凹所
７  後列台座
８  洗濯機
８ａ  前列脚
８ｂ  後列脚
【図１】
2011147590.tif 000003
【図２】
2011147590.tif 000004
【図３】
2011147590.tif 000005
【図４】
2011147590.tif 000006
【図５】
2011147590.tif 000007
【図６】
2011147590.tif 000008
【図７】
2011147590.tif 000009